(57)【要約】【課題】使い勝手の向上を図る。【解決手段】  内側に撮影レンズが配置された外筐を備え、外筐は撮影レンズの光軸に直交する断面の外形状が略円形状に形成された筒状部と筒状部に対して光軸に直交する方向において外側に突出されて設けられた転がり防止部とを有し、転がり防止部が筒状部の下面側に設けられ、転がり防止部の左右方向における中央部が筒状部の左右方向における中央部に対して左右の何れかにずれて位置された。これにより、転がり防止部によって撮像装置の転がりが防止されると共に撮影時に転がり防止部を把持して撮影を行うことが可能になるため、非使用時における良好な保管性が確保されると共に撮影時における良好な把持性が確保され、使い勝手の向上を図ることができる。【選択図】図４
2015215422.tif 000002
【特許請求の範囲】
【請求項１】
内側に撮影レンズが配置された外筐を備え、
前記外筐は前記撮影レンズの光軸に直交する断面の外形状が略円形状に形成された筒状部と前記筒状部に対して前記光軸に直交する方向において外側に突出されて設けられた転がり防止部とを有し、
前記転がり防止部が前記筒状部の下面側に設けられ、
前記転がり防止部の左右方向における中央部が前記筒状部の左右方向における中央部に対して左右の何れかにずれて位置された
撮像装置。
【請求項２】
前記転がり防止部の左右方向における中央部が前記筒状部の左方にずれて位置された
請求項１に記載の撮像装置。
【請求項３】
前記転がり防止部に操作部が配置された
請求項１に記載の撮像装置。
【請求項４】
前記操作部として被写体の撮影を行う撮影釦が設けられた
請求項３に記載の撮像装置。
【請求項５】
前記操作部として撮影倍率を変更するズーム摘子が設けられた
請求項３に記載の撮像装置。
【請求項６】
前記ズーム摘子が上下方向に移動されて操作される
請求項５に記載の撮像装置。
【請求項７】
前記転がり防止部の内部に駆動モーターを含む駆動機構の少なくとも一部が配置された
請求項１に記載の撮像装置。
【請求項８】
前記転がり防止部の外面の少なくとも一部が曲面状に形成された
請求項１に記載の撮像装置。
【請求項９】
前記筒状部と前記転がり防止部が別部材によって形成され、
前記筒状部と前記転がり防止部が結合された
請求項１に記載の撮像装置。
【請求項１０】
前記筒状部の表面と前記転がり防止部の表面とに異なる色が付された
請求項１に記載の撮像装置。
【請求項１１】
前記転がり防止部の前面が光沢面に形成された
請求項１に記載の撮像装置。
【請求項１２】
前記筒状部の内部にズームレンズと撮影倍率を変更するために前記ズームレンズを光軸方向へ移動させるズームモーターを含むズーム駆動機構とが配置され、
前記ズーム駆動機構が前記筒状部の内周面に沿って配置された
請求項１に記載の撮像装置。
【請求項１３】
前記ズームモーターのモーター軸が上下左右に対して傾斜された状態で前記ズームモーターが配置された
請求項１２に記載の撮像装置。
【請求項１４】
前記ズーム駆動機構が前記ズームレンズの後側に配置された
請求項１２に記載の撮像装置。
【発明の詳細な説明】
【技術分野】
【０００１】
本技術は、外筐に撮影レンズの光軸に直交する断面の外形状が略円形状に形成された筒状部が設けられた撮像装置についての技術分野に関する。
【先行技術文献】
【特許文献】
【０００２】
【特許文献１】特開２０１３−９２５５６号公報
【背景技術】
【０００３】
異なる機能を有する機器の間で一方の機器が他方の機器に対して着脱可能とされるものがある。このような一方の機器が他方の機器に対して着脱可能とされるものとして、例えば、ズーム機能を有する交換レンズと撮像機能を有するカメラ装置本体とがある。
【０００４】
また、異なる機能を有する機器の間で一方の機器が他方の機器に対してアダプターを介して着脱可能とされるものもあり、このような例としては、交換レンズがアダプターを介してカメラ装置本体に着脱可能とされるものがある（例えば、特許文献１参照）。
【０００５】
特許文献１には、アダプターのカメラ装置本体に対する取付の方式として、アダプターの全体をカメラ装置本体に対して回転させアダプターの係合部をカメラ装置本体の係合部に係合する方式が記載されている。
【０００６】
一方、近年、無線ＬＡＮ（Local Area Network）等の通信技術の発達により、例えば、撮像装置により取得される画像を表示装置の表示パネル（ディスプレイ）に表示するような開発が進展している。
【発明の概要】
【発明が解決しようとする課題】
【０００７】
ところで、このような表示装置と連携して撮像動作が可能な撮像装置については、非使用時における良好な保管性や撮影時における良好な把持性が確保され使い勝手の向上が図られることが望ましい。
【０００８】
そこで、本技術撮像装置は、使い勝手の向上を図ることを目的とする。
【課題を解決するための手段】
【０００９】
第１に、本技術に係る撮像装置は、内側に撮影レンズが配置された外筐を備え、前記外筐は前記撮影レンズの光軸に直交する断面の外形状が略円形状に形成された筒状部と前記筒状部に対して前記光軸に直交する方向において外側に突出されて設けられた転がり防止部とを有し、前記転がり防止部が前記筒状部の下面側に設けられ、前記転がり防止部の左右方向における中央部が前記筒状部の左右方向における中央部に対して左右の何れかにずれて位置されたものである。
【００１０】
これにより、転がり防止部によって撮像装置の転がりが防止されると共に撮影時に転がり防止部を把持して撮影を行うことが可能になる。
【００１１】
第２に、上記した本技術に係る撮像装置においては、前記転がり防止部の左右方向における中央部が前記筒状部の左方にずれて位置されることが望ましい。
【００１２】
これにより、撮影者が撮像装置を左手で把持して撮影することが多いため、左手が転がり防止部宛われる。
【００１３】
第３に、上記した本技術に係る撮像装置においては、前記転がり防止部に操作部が配置されることが望ましい。
【００１４】
これにより、撮像装置を把持したときに筒状部から突出された転がり防止部に指が自然な状態で宛われる。
【００１５】
第４に、上記した本技術に係る撮像装置においては、前記操作部として被写体の撮影を行う撮影釦が設けられることが望ましい。
【００１６】
これにより、筒状部から突出された転がり防止部に宛われた指を動かして撮影釦を押し易い。
【００１７】
第５に、上記した本技術に係る撮像装置においては、前記操作部として撮影倍率を変更するズーム摘子が設けられることが望ましい。
【００１８】
これにより、筒状部から突出された転がり防止部に宛われた指を動かしてズーム摘子を操作し易い。
【００１９】
第６に、上記した本技術に係る撮像装置においては、前記ズーム摘子が上下方向に移動されて操作されることが望ましい。
【００２０】
これにより、転がり防止部に宛われた状態において指を上下方向に動かしてズーム摘子を操作し易い。
【００２１】
第７に、上記した本技術に係る撮像装置においては、前記転がり防止部の内部に駆動モーターを含む駆動機構の少なくとも一部が配置されることが望ましい。
【００２２】
これにより、撮像装置の転がりを防止する機能を有する転がり防止部の内部が駆動機構の配置スペースとして用いられる。
【００２３】
第８に、上記した本技術に係る撮像装置においては、前記転がり防止部の外面の少なくとも一部が曲面状に形成されることが望ましい。
【００２４】
これにより、掌が外筐の下面から側面に亘る位置に宛われた状態において、転がり防止部における曲面状の部分に掌が宛われる。
【００２５】
第９に、上記した本技術に係る撮像装置においては、前記筒状部と前記転がり防止部が別部材によって形成され、前記筒状部と前記転がり防止部が結合されることが望ましい。
【００２６】
これにより、筒状部と転がり防止部をそれぞれ所定の形状に容易に形成することが可能になる。
【００２７】
第１０に、上記した本技術に係る撮像装置においては、前記筒状部の表面と前記転がり防止部の表面とに異なる色が付されることが望ましい。
【００２８】
これにより、筒状部を転がり防止部より際立たせることが可能になる。
【００２９】
第１１に、上記した本技術に係る撮像装置においては、前記転がり防止部の前面が光沢面に形成されることが望ましい。
【００３０】
これにより、撮像装置を机やテーブル等の載置面に載置したときに、載置面の色を光沢面に写り込ませることが可能になる。
【００３１】
第１２に、上記した本技術に係る撮像装置においては、前記筒状部の内部にズームレンズと撮影倍率を変更するために前記ズームレンズを光軸方向へ移動させるズームモーターを含むズーム駆動機構とが配置され、前記ズーム駆動機構が前記筒状部の内周面に沿って配置されることが望ましい。
【００３２】
これにより、ズーム駆動機構が筒状部の内部において外周側に位置される。
【００３３】
第１３に、上記した本技術に係る撮像装置においては、前記ズームモーターのモーター軸が上下左右に対して傾斜された状態で前記ズームモーターが配置されることが望ましい。
【００３４】
これにより、ズームモーターの配置位置の自由度が高くなる。
【００３５】
第１４に、上記した本技術に係る撮像装置においては、前記ズーム駆動機構が前記ズームレンズの後側に配置されることが望ましい。
【００３６】
これにより、ズーム駆動機構がズームレンズの外周側に位置されない。
【発明の効果】
【００３７】
本技術によれば、転がり防止部によって撮像装置の転がりが防止されると共に撮影時に転がり防止部を把持して撮影を行うことが可能になるため、非使用時における良好な保管性が確保されると共に撮影時における良好な把持性が確保され、使い勝手の向上を図ることができる。
【００３８】
尚、本明細書に記載された効果はあくまでも例示であって限定されるものではなく、他の効果があってもよい。
【図面の簡単な説明】
【００３９】
【図１】図２乃至図１６と共に本技術撮像装置の実施の形態を示すものであり、本図は、撮像装置がアダプターを介して表示装置に取り付けられた状態を示す斜視図である。
【図２】撮像装置がアダプターを介して表示装置に取り付けられた状態を図１とは別の方向から見た状態で示す斜視図である。
【図３】撮像装置の拡大斜視図である。
【図４】撮像装置の拡大正面図である。
【図５】撮像装置の拡大背面図である。
【図６】撮像装置の拡大平面図である。
【図７】撮像装置の拡大底面図である。
【図８】撮像装置の一方の拡大側面図である。
【図９】撮像装置の他方の拡大側面図である。
【図１０】内筒部が前方へ繰り出された状態を示す撮像装置の拡大斜視図である。
【図１１】撮像構造体を外筐とともに示す概略拡大背面図である。
【図１２】撮像構造体を示す概略拡大斜視図である。
【図１３】撮像装置の使用態様の一例を示す斜視図である。
【図１４】撮像装置の使用態様の別の一例を示す斜視図である。
【図１５】撮像装置の使用態様のまた別の一例を示す側面図である。
【図１６】撮像装置のブロック図である。
【発明を実施するための形態】
【００４０】
以下に、本技術を実施するための形態を添付図面に従って、説明する。
【００４１】
以下の説明にあっては、撮像装置の撮影時において撮影者から見た方向で前後上下左右の方向を示すものとする。従って、被写体側が前方となり、撮影者側が後方となる。尚、以下に示す前後上下左右の方向は説明の便宜上のものであり、本技術の実施に関しては、これらの方向に限定されることはない。
【００４２】
［撮像装置、アダプター及び表示装置の関係］
先ず、撮像装置１と撮像装置１とともに使用される場合があるアダプター２及び表示装置３の関係について概略を説明する（図１及び図２参照）。
【００４３】
撮像装置１の後面にはアダプター２が着脱可能とされている。アダプター２は表示装置３に着脱可能とされている。
【００４４】
アダプター２はベース体４の内外に所要の各部が配置されて成る。ベース体４は外形状が円形状に形成され前後方向の厚みが薄い扁平な形状に形成されている。ベース体４には図示しない一対の収納凹部が中央部を挟んで反対側に形成されている。ベース体４の前面側には図示しない一対の結合穴が周方向に離隔して形成されている。ベース体４の前面側には前方に開口された図示しない被ロック穴が形成されている。
【００４５】
アダプター２にはベース体４に対して回動可能な一対の被取付体５、５が設けられている。被取付体５、５はベース体４の中央部を挟んで反対側の位置において回動可能とされ、ベース体４の収納凹部にそれぞれ収納される収納位置と収納凹部から引き出される引出位置との間で回動される。
【００４６】
被取付体５、５は一方が他方に対して離接する方向（上下方向）へ移動可能とされ、図示しないバネによって一方が他方に近付く方向へ付勢されている。
【００４７】
被取付体５、５は引出位置に回動された状態において、上下から挟むようにして表示装置３に取り付けられる。このとき被取付体５、５は一方が他方に近付く方向へ付勢されているため、表示装置３を上下から挟み込み、アダプター２の表示装置３に対する安定した取付状態が確保される。
【００４８】
表示装置３は、例えば、スマートフォン等の携帯電話である。但し、表示装置３は携帯電話に限られることはなく、表示機能を有していれば他の装置、例えば、携帯端末やテレビジョンシステム等であってもよい。
【００４９】
表示装置３は筐体６の内外に所要の各部が配置されて成る。筐体６は、例えば、略長方形のケース状に形成され、一方の面（後面）に表示パネル７が設けられている。表示パネル７はタッチパネルとされ表示パネル７の所定の各位置を接触操作することにより所定の機能が実行される。
【００５０】
［撮像装置の構成］
次に、撮像装置１の構成について説明する（図３乃至図１０参照）。
【００５１】
撮像装置１は外筐８の内外に所要の各部が配置されて成る。外筐８は外筒部９と転がり防止部１０を有している。外筒部９の内側には前後方向（光軸方向）において並ぶ複数のレンズ群とレンズ群の後方に位置された図示しない撮像素子とが配置されている。撮像装置１においてはレンズ群を介して取り込まれた光が撮像素子において光電変換される。
【００５２】
外筒部９は前後に貫通する略円筒状に形成された筒状部９ａと筒状部９ａの前端部から内方へ張り出された張出部９ｂと筒状部９ａを後方から閉塞する後面部９ｃとを有している。筒状部９ａはレンズ群の光軸方向である前後方向に直交する断面の外形状が略円形状に形成されている。
【００５３】
転がり防止部１０は筒状部９ａの下面側において、筒状部９ａに対してレンズ群の光軸方向に直交する方向において外側に突出されて設けられている。転がり防止部１０は、図４に示すように、左右方向における中央部（中央線）Ｍｂが筒状部９ａの左右方向における中央部（中央線）Ｍａに対して左右の何れか、例えば、左方にずれて位置されている。尚、中央線Ｍａはレンズ群の光軸に交差する。
【００５４】
転がり防止部１０は外筒部９とは別部材によって形成されている。転がり防止部１０は、例えば、全体が中央部Ｍａより左側に位置され、外面が前面１０ａ、後面１０ｂ、側面１０ｃ、天面１０ｄ及び底面１０ｅによって構成されている。転がり防止部１０は内部に外筒部９の内部の空間と連通する空間が形成されている。
【００５５】
転がり防止部１０は撮像装置１が机やテーブル等の載置面に載置されたときの撮像装置１の転がりを防止する機能を有し、転がり防止部１０によって撮像装置１の落下等による破損や故障を防止することができる。特に、撮像装置１は筒状部９ａの外面が円周面状にされており、転がり防止部１０は落下等による破損や故障を防止する上で有用な構造である。
【００５６】
側面１０ｃは略左方を向き、外方に凸の極めて緩やかな曲面状に形成されている。底面１０ｅは略下方を向き、下方に凸の極めて緩やかな曲面状に形成されている。側面１０ｃと天面１０ｄの連続部分は曲面状の上側曲面連続部１０ｆとして形成され、側面１０ｃと底面１０ｅの連続部分は曲面状の下側曲面連続部１０ｇとして形成されている。底面１０ｅは筒状部９ａの下端と略同じ高さに位置されている。
【００５７】
外筐８は外筒部９と転がり防止部１０が別部材によって形成され、外筒部９と転がり防止部１０が結合されて構成されている。
【００５８】
このように外筒部９と転がり防止部１０を別部材によって形成することにより、外筒部９と転がり防止部１０をそれぞれ所定の形状に容易に形成することが可能になり、外筐８の良好な加工性を確保することができる。
【００５９】
また、外筒部９と転がり防止部１０に対する塗装等の加工（処理）を各別に行うことが可能になり、両者に対する加工を異ならせることにより、外筒部９を転がり防止部１０に対して強調したデザインにすることができ、撮像装置１の全体としての意匠性の向上を図ることができる。
【００６０】
さらに、外筒部９の表面と転がり防止部１０の表面とに異なる色を付すことにより、外筒部９を転がり防止部１０より際立たせることが可能になり、外筒部９を際立たせて外筒部９の形状を明確に表現することができる。
【００６１】
さらにまた、転がり防止部１０の前面１０ａに光沢を有するシートやパネルを貼り付けたり光沢のある色を付したりすることにより、撮像装置１を机やテーブル等の載置面に載置したときに、載置面の色を光沢面に写り込ませることが可能になる。従って、転がり防止部１０が載置面に同化するように視認され、外筒部９を転がり防止部１０に対して強調したデザインにすることができ、撮像装置１の全体としての意匠性の向上を図ることができる。
【００６２】
外筒部９の内側には前後方向において移動可能とされた内筒部１１、１１が支持されている（図３及び図１０参照）。撮像装置１は、内筒部１１、１１が外筒部９に対して前方へ繰り出されて撮影状態（図１０参照）とされ、前方へ繰り出されていた内筒部１１、１１が後方へ繰り込まれて外筒部９の内部に収納されることにより沈胴状態（図３参照）とされる。
【００６３】
最も内側の内筒部１１の前面部には略矩形状の光透過孔１２が形成されている（図１０参照）。最も内側の内筒部１１の前面部にはレンズバリアー１３、１３が開閉自在に支持されている。レンズバリアー１３、１３は図示しない開閉機構によって沈胴状態において閉じられ撮影状態において開かれる。従って、沈胴状態においてはレンズバリアー１３、１３によって内筒部１１の光透過孔１２が閉塞され（図３参照）、撮影状態においてはレンズバリアー１３、１３によって光透過孔１２が開放される（図１０参照）。
【００６４】
撮像装置１の内部には最も前側に位置された撮影レンズ１４を含む複数のレンズ群が光軸方向に離隔して配置されており、レンズバリアー１３、１３によって光透過孔１２が開放されると撮影レンズ１４に外部から光が入射される。
【００６５】
外筒部９の後面部９ｃにおける外周部には後方へ突出された結合突部１５、１５が周方向に離隔して設けられている（図５参照）。
【００６６】
後面部９ｃにおける結合突部１５の近傍にはロックピン１６が前後方向へ移動自在に支持されている。ロックピン１６は図示しないバネによって後方へ付勢されている。
【００６７】
外筒部９の筒状部９ａにおける後端部にはロック解除レバー１７が配置されている（図９参照）。ロック解除レバー１７が操作されることによりロックピン１６が外筒部９の内部に引き込まれる。
【００６８】
撮像装置１は結合突部１５、１５がそれぞれアダプター２の結合穴に挿入されて結合される。結合突部１５、１５がそれぞれアダプター２の結合穴に挿入されて結合され、アダプター２が撮像装置１に対してベース体４の周方向において所定の位置まで回転されると、ロックピン１６がバネによる付勢力によって後方へ移動されてアダプター２の被ロック穴に挿入され、アダプター２が撮像装置１にロックされた状態で取り付けられる。
【００６９】
一方、ロック解除レバー１７が操作されると、ロックピン１６が付勢力に反して前方へ移動されて被ロック穴から引き出され、アダプター２に対するロックピン１６によるロックが解除される。アダプター２が撮像装置１に対してベース体４の周方向において所定の位置まで回転されることにより、結合突部１５、１５をアダプター２の結合穴から引き出すことが可能になり、アダプター２を撮像装置１から取り外すことができる。
【００７０】
外筒部９の後面部９ｃにおける結合突部１５、１５間の部分にはバッテリー蓋１８が配置されている（図５参照）。撮像装置１にはバッテリー蓋１８の内側にバッテリーを収納する図示しないバッテリー装填部が形成されており、バッテリー蓋１８を開閉することによりバッテリー装填部に対する図示しないバッテリーの装着及び取出を行うことが可能とされている。
【００７１】
外筒部９の筒状部９ａにおける上端部にはマイクロフォン１９、１９と電源釦２０が前後に離隔して配置されている（図３及び図６参照）。マイクロフォン１９、１９は外部の音声を入力するための部分である。筒状部９ａは外筐８を構成する部分であり、撮像装置１の最外周に位置されているため、筒状部９ａにマイクロフォン１９、１９を配置することにより外部の音声が遮断され難い。
【００７２】
電源釦２０は表面が筒状部９ａの外周より外側に突出しないように配置されている。電源釦２０が筒状部９ａの外周より外側に突出しないことにより、電源釦２０の誤操作が防止される。
【００７３】
電源釦２０が操作されることにより、撮像装置１における電源の投入又は電源の遮断が行われ、電源が投入されたときに内筒部１１、１１が外筒部９に対して前方へ繰り出されて撮影状態が設定され（図１０参照）、電源が遮断されたときに前方へ繰り出されていた内筒部１１、１１が後方へ繰り込まれて外筒部９の内部に収納されることにより沈胴状態が設定される（図３参照）。
【００７４】
外筒部９の筒状部９ａにおける下端部には三脚穴２１が形成されている（図７参照）。三脚穴２１は撮影時等に図示しない三脚に撮像装置１を結合するための穴である。
【００７５】
外筒部９の筒状部９ａにおける下端部には三脚穴２１の左右にそれぞれ転がり規制突起２２、２２が設けられている（図４及び図７参照）。転がり規制突起２２、２２は転がり防止部１０の機能を補強する機能を有し、転がり規制突起２２、２２によって撮像装置１が机やテーブル等に載置されたときの撮像装置１の転がりが規制され、撮像装置１の落下等による破損や故障を防止することが可能である。特に、撮像装置１は筒状部９ａの外面が円周面状にされており、転がり規制突起２２、２２は落下等による破損や故障を防止する上で有用な構造である。
【００７６】
外筒部９の筒状部９ａにおける後端部の下端寄りの位置にはカバー体２３が配置されている（図７及び図９参照）。撮像装置１にはカバー体２３の内側に図示しないＵＳＢ（Universal Serial Bus）等の外部接続端子及びメモリーカードスロットが設けられている。従って、カバー体２３を開放することにより、外部機器との接続及びメモリーカードの装着を行うことができる。また、外部機器との接続やメモリーカードの装着により、撮像装置１によって撮影した画像や映像の外部機器又はメモリーカードへの記録を行うことができる。
【００７７】
外筒部９の筒状部９ａにおける右端部には液晶パネル等の表示部２４が配置されている。表示部２４にはバッテリーの残量やメモリーカードのメモリーカードスロットへの挿入の有無等が表示される。
【００７８】
表示部２４が配置されていることにより、撮像装置１の外部からバッテリーの残量やメモリーカードのメモリーカードスロットへの挿入の有無等を確認することが可能であり、撮像装置１の使い勝手の向上を図ることができる。
【００７９】
転がり防止部１０の側面１０ｃには変倍を行うためのズーム摘子２５と静止画撮影時にシャッターとして機能する撮影釦２６が前後に並んで近接して配置されている（図３及び図８参照）。ズーム摘子２５が操作されることにより望遠と広角の間でのズームが行われ、撮影釦２６が操作されることにより被写体の撮影が行われる。尚、撮影釦２６は動画撮影時には動画撮影のオンオフの切替釦として機能する。
【００８０】
ズーム摘子２５は、例えば、上下方向へ移動されることにより操作される。このようにズーム摘子２５が所定の方向へ移動操作されることによりズーミングが行われるため、良好な操作性が確保され、撮像装置１の使い勝手の向上を図ることができる。
【００８１】
尚、ズーム摘子２５は左右方向や斜め方向へ移動されて操作されるように構成されていてもよい。
【００８２】
ズーム摘子２５と撮影釦２６が近接して配置されることにより、ユーザーにおいてズーミング操作により画角調整を行った後に撮影操作を行うという一連の撮影動作が行い易いく、撮像装置１の使い勝手の向上を図ることができる。
【００８３】
尚、上記には、ズーム摘子２５と撮影釦２６が前後に並んで配置された例を示したが、ズーム摘子２５と撮影釦２６は、例えば、上下や斜め方向に並んで近接して配置されていてもよい。
【００８４】
また、ズーム摘子２５と撮影釦２６は何れも転がり防止部１０に配置されている。このように近接して配置されるズーム摘子２５と撮影釦２６が何れも転がり防止部１０に配置されることにより、ズーム摘子２５と撮影釦２６を転がり防止部１０に配置した後に転がり防止部１０を外筒部９の筒状部９ａに結合することが可能であり、撮像装置１における組立の簡素化及び効率化を図ることができる。
【００８５】
尚、撮影釦２６については、例えば、半押しでオートフォーカスが行われ、全押しで撮像が行われる機能が付加されていてもよい。例えば、撮像装置１は表示装置３に取り付けられない状態で使用される場合もあるが、撮像装置１には画像が表示される部分が存在しないためフォーカス操作が難しい。従って、撮影釦２６の半押しによりオートフォーカスが行われるようにすれば、ユーザーにとって直感的にわかり易い操作を提供することができる。
【００８６】
また、撮像装置１に音出力部が設けられ、オートフォーカス動作時に音声出力部から電子音等が出力されるようにすることにより、ユーザーにおいて操作を行ったことが認識され、操作の確実性を図ることができる。
【００８７】
さらに、ズーム摘子２５と撮影釦２６が転がり防止部１０の側面１０ｃに配置されることにより、ズーム摘子２５と撮影釦２６が筒状部９ａの上端部に設けられたマイクロフォン１９、１９と離隔して位置される。従って、ユーザーがズーム摘子２５又は撮影釦２６を操作したときの音がマイクロフォン１９、１９に入力され難くなり、音量の低下を抑制することができる。
【００８８】
さらにまた、電源釦２０と撮影釦２６が撮像装置１の周方向において上部と側部で離隔して位置されているため、電源のオンオフ操作と撮影操作との間での誤操作が生じ難くされている。
【００８９】
撮像装置１には無線通信機能が設けられている。無線通信を使用することにより、例えば、撮像装置１によって撮影した画像や映像の表示装置３への表示や保存、表示装置３に対する操作による撮像装置１の撮影機能の実行、表示装置３に対する操作による撮像装置１のズーム機能の実行等の各種の操作を行うことが可能とされている。
【００９０】
具体的には、例えば、外筒部９における筒状部９ａの内側にＮＦＣ（Near Field Communication）通信が行われるＮＦＣ通信部（ＮＦＣタグ）が搭載されており、表示装置３に搭載されたＮＦＣ通信部との間で非接触通信が行われる。また、撮像画像の送信等のために、例えば、ＷＩＦＩ（Wireless Fidelity）通信部が設けられ、表示装置３に搭載されたＷＩＦＩ通信部との間で無線通信が行われる。
【００９１】
撮像装置１は電源釦２０に対する操作によって電源オンとされる以外に、表示装置３側からのＮＦＣ通信によって電源オンにされてもよい。例えば、ＮＦＣ通信が確立されたときに撮像装置１が電源オンにされる。また、撮像装置１において、筒状部９ａの上端部等の電源釦２０の近傍にＮＦＣ通信機能の表示が行われるようにすることにより、ユーザーが電源オンの操作が行われたか否かを確認し易く、撮像装置１の使い勝手の向上を図ることができる。
【００９２】
また、ＮＦＣ通信部を筒状部９ａの内側における上方側に配置することにより、三脚穴２１に三脚を取り付けて撮像装置１を使用する場合に、ＮＦＣ通信部に表示装置３を近付け易くなり、非接触通信に有利となる。
【００９３】
さらに、撮像装置１は机やテーブル等の載置面に載置された状態で使用される場合もあるが、このような使用状態においては、通常、ユーザーが表示装置３を上方から撮像装置１に近付ける。従って、ＮＦＣ通信部を筒状部９ａの内部における上方側に配置することにより、このような使用状態においても近距離無線通信に適した配置となる。
【００９４】
尚、ＮＦＣ通信部の配置位置は筒状部９ａの内部における上方側以外であってもよいが、ＮＦＣ通信部は外筒部９の後面部９ｃに近い位置には配置しないことが望ましい。後面部９ｃ側に近距離無線通信が行われるＮＦＣ通信部を配置すると、図１及び図２に示すように、撮像装置１をアダプター２によって表示装置３に取り付けて使用する際に、撮像装置１のＮＦＣ通信部が表示装置３のＮＦＣ通信部と常時接近した状態となり、常時ポーリングを行ってしまう場合があるためである。
【００９５】
外筐８の内部には撮像構造体２７が配置されている（図１１及び図１２参照）。
【００９６】
撮像構造体２７はレンズ群が配置されたレンズ鏡筒２８と所定のレンズ群（ズームレンズ）を光軸方向へ移動させてズーミングを行うズーム駆動機構２９と所定のレンズ群（フォーカスレンズ）を光軸方向へ移動させてフォーカシングを行うフォーカス駆動機構３０とを有している。
【００９７】
レンズ鏡筒２８は外筐８における外筒部９の内部に配置されている。
【００９８】
ズーム駆動機構２９はズームモーター３１とギヤボックス３２を有している。ギヤボックス３２の内部には図示しない複数の減速ギヤが配置されている。ズーム駆動機構２９において減速ギヤがズームモーター３１の駆動力によって回転されると、ズームモーター３１の駆動力が減速ギヤを介して所定のレンズ群（ズームレンズ）に伝達されて当該所定のレンズ群が光軸方向へ移動される。
【００９９】
ズーム駆動機構２９は外筒部９の内部の左端側において筒状部９ａの内周面に沿って配置され、レンズ群の後側に位置されている（図１１参照）。また、ズーム駆動機構２９はモーター軸３１ａが上下左右に対して傾斜された状態で筒状部９ａの内部に配置されている。
【０１００】
上記のようにズーム駆動機構２９が筒状部９ａの内周面に沿って配置されることにより、ズーム駆動機構２９が筒状部９ａの内部において外周側に位置され、筒状部９ａの内部に配置される他の構造の十分な配置スペースが確保され、配置スペースの有効活用による撮像装置１の小型化を図ることができる。
【０１０１】
また、ズーム駆動機構２９のモーター軸３１ａが上下左右に対して傾斜された状態で筒状部９ａの内部に配置されることにより、ズームモーター３１の配置位置の自由度が高くなり、配置スペースの有効活用による撮像装置１の一層の小型化を図ることができる。
【０１０２】
さらに、ズーム駆動機構２９がズームレンズを含むレンズ群の後側に配置されることにより、ズーム駆動機構２９がズームレンズの外周側に位置されず、その分、筒状部９ａの外形が大きくならず、撮像装置１のより一層の小型化を図ることができる。
【０１０３】
フォーカス駆動機構３０は図示しないフォーカスモーターとフォーカスモーターの駆動力によって回転される図示しない複数の伝達ギヤとを有している。フォーカス駆動機構３０において伝達ギヤがフォーカスモーターの駆動力によって回転されると、フォーカスモーターの駆動力が伝達ギヤを介して所定のレンズ群（フォーカスレンズ）に伝達されて当該所定のレンズ群が光軸方向へ移動される。
【０１０４】
フォーカス駆動機構３０はズーム駆動機構２９の直ぐ前側において少なくとも一部が転がり防止部１０の内部に配置されている。
【０１０５】
このようにフォーカス駆動機構３０の少なくとも一部が転がり防止部１０の内部に配置されることにより、撮像装置１の転がりを防止する機能を有する転がり防止部１０の内部がフォーカス駆動機構３０の配置スペースとして有効活用され、転がり防止部１０の良好な機能性を確保した上で撮像装置１の小型化を図ることができる。
【０１０６】
［撮像装置の使用態様］
次に、撮像装置１の使用態様について説明する（図１３及び図１４参照）。
【０１０７】
上記したように、表示装置３には撮像装置１に取り付けられたアダプター２が取り付けられ、撮像装置１がアダプター２を介して表示装置３に取り付けられる。このように撮像装置１がアダプター２を介して表示装置３に取り付けられた状態において、撮像装置１を用いて撮影等を行うことが可能である。
【０１０８】
このとき撮影者は、例えば、右手１００で表示装置３を把持し、左手２００で撮像装置１を把持する（図１３参照）。撮像装置１は左手２００によって、例えば、下方側から持ち上げられるようにして把持され、掌２０１が外筐９の下面から左側面に亘る位置に宛われ、親指２０２が転がり防止部１０の側面１０ｃに宛われ、人差し指２０３及び中指２０４が筒状部９ａの下面から右側面に亘る位置に宛われる。
【０１０９】
撮像装置１にあっては、転がり防止部１０の外面の少なくとも一部、即ち、側面１０ｃと底面１０ｅが外方に凸の極めて緩やかな曲面状に形成されているため、上記のように掌２０１が外筐９の下面から左側面に亘る位置に宛われた状態において、曲面状の側面１０ｃと底面１０ｅに掌２０１が宛われる。従って、撮像装置１に対する良好な把持性を確保することができる。
【０１１０】
また、側面１０ｃと底面１０ｅを曲面状に形成することにより、転がり防止部１０の形状を転がり防止部１０の内部に配置される構造に応じた形状に形成することが可能であり、撮像装置１の小型化を図ることができる。
【０１１１】
撮像装置１にあっては、上記したように、転がり防止部１０に操作部として機能するズーム摘子２５と撮影釦２６が配置されており、撮像装置１を左手２００によって把持したときに、これらの操作部に左手２００の親指２０２が自然な状態で宛われる。
【０１１２】
従って、撮像装置１を把持したときに外筒部９から突出された転がり防止部１０に指が自然な状態で宛われ、撮像装置１に対する良好な把持性を確保した上で操作部に対する良好な操作性を確保することができる。
【０１１３】
また、転がり防止部１０の側面１０ｃに配置された操作部として被写体の撮影を行う撮影釦２６が設けられており、外筒部９から突出された転がり防止部１０に宛われた指を左右に動かして撮影釦２６を押し易く、撮影釦２６に対する高い操作性を確保することができる。
【０１１４】
さらに、転がり防止部１０の側面１０ｃに配置された操作部として撮影倍率を変更するズーム摘子２５が設けられており、外筒部９から突出された転がり防止部１０に宛われた指を動かしてズーム摘子２５を操作し易く、ズーム摘子２５に対する高い操作性を確保することができる。
【０１１５】
さらにまた、ズーム摘子２５は上下方向へ移動されて操作されるが、転がり防止部１０に宛われた状態において指を上下方向に動かし易いため、ズーム摘子２５が上下方向へ移動されて操作される構成にされていることにより、ズーム摘子２５に対する一層高い操作性を確保することができる。
【０１１６】
上記には、撮像装置１がアダプター２を介して表示装置３に取り付けられた状態において使用される態様を例として示したが、撮像装置１は表示装置３に取り付けられない状態で使用することも可能である（図１４参照）。この場合には、表示装置３に搭載されたＮＦＣ通信部を撮像装置１に設けられたＮＦＣ通信部（ＮＦＣタグ）に近付けて撮像装置１によって取得された画像が表示装置３の表示パネル７に表示される設定を行い、表示パネル７に表示される画像を確認しながら表示パネル７（タッチパネル）の所定の操作部を操作することにより撮像装置１によって取得された画像や映像の撮影を行うことが可能である。
【０１１７】
このとき表示装置３を把持していない方の手、例えば、左手２００によって撮像装置１を把持して所望の画像を取得してもよく、撮像装置１を据え置き状態にして画像を取得してもよい。このような据え置き状態での使用態様においては、撮像装置１の机やテーブル等の載置面に対する転がりが転がり防止部１０によって防止され、撮像装置１の安定した載置状態が確保され、取得する画像の画質の向上を図ることができる。また、据え置き状態での使用態様において、外筒部９の下端部に設けられた転がり規制突起２２、２２によっても撮像装置１の安定した載置状態が確保される。
【０１１８】
また、撮像装置１がアダプター２を介して表示装置３に取り付けられた状態において、机やテーブル等の載置面に載置された据え置き状態で撮影等を行うことも可能である（図１５参照）。このような据え置き状態での使用態様においては、撮像装置１と表示装置３が前後方向において離隔した位置で載置面４００に載置され、表示装置３の直線状に形成された下縁が載置面４００に載置されるため、撮像装置１の安定した載置状態が確保され、取得する画像の画質の向上を図ることができる。
【０１１９】
尚、撮像装置１の携帯状態（把持状態）及び据え置き状態での画像や映像の撮影操作は両者とも同様であり、撮像装置１と表示装置３が無線により通信され、撮像装置１によって取得された画像や映像が表示装置３の表示パネル７に表示される。撮影者は表示パネル７に表示される画面を確認し、撮像装置１の撮影釦２６を操作又はタッチパネルとされた表示パネル７の所定の操作部を操作することにより撮像装置１によって取得された画像や映像の撮影を行うことができる。
【０１２０】
［撮像装置の一実施形態］
以下に、本技術撮像装置の一実施形態によるブロック図を示す（図１６参照）。
【０１２１】
撮像装置１は、光軸方向に並んで配置されたレンズ群５１とレンズ群５１を介して取り込まれる光を光電変換する撮像素子５２と撮影された画像信号のアナログ−デジタル変換等の信号処理を行うカメラ信号処理部５３と画像信号の記録再生処理を行う画像処理部５４とを有している。また、撮像装置１は、メモリーカード３００への画像信号の書込及び読出を行うＲ／Ｗ（リーダ／ライタ）５５と撮像装置１の全体を制御するＣＰＵ（Central Processing Unit）５６と使用者によって所要の操作が行われる各種のスイッチ等の入力操作部５７、５７、・・・（ズーム摘子２５、撮影釦２６等）と通信部５８を備えている。
【０１２２】
カメラ信号処理部５３は、撮像素子５２からの出力信号に対するデジタル信号への変換、ノイズ除去、画質補正、輝度・色差信号への変換等の各種の信号処理を行う。
【０１２３】
画像処理部５４は、所定の画像データフォーマットに基づく画像信号の圧縮符号化・伸張復号化処理や解像度等のデータ仕様の変換処理等を行う。
【０１２４】
Ｒ／Ｗ５５は、画像処理部５４によって符号化された画像データのメモリーカード３００への書込及びメモリーカード３００に記録された画像データの読出を行う。
【０１２５】
ＣＰＵ５６は、撮像装置１に設けられた各部を制御する制御処理部として機能し、入力操作部５７、５７、・・・からの指示入力信号等に基づいて各部を制御する。
【０１２６】
また、ＣＰＵ５６はＮＦＣ通信部やＷＩＦＩ通信部を有する通信部５８による無線通信によって表示装置３と各種のデータや制御情報の送受信が可能とされている。
【０１２７】
入力操作部５７、５７、・・・は、使用者による操作に応じた指示入力信号をＣＰＵ５６に対して出力する。
【０１２８】
メモリーカード３００は、例えば、Ｒ／Ｗ５５に接続されたメモリーカードスロットに対して着脱可能な半導体メモリーである。
【０１２９】
以下に、撮像装置１における動作を説明する。
【０１３０】
入力操作部５７、５７、・・・からの指示入力信号により撮影動作が行われると、撮影された画像信号がカメラ信号処理部５３から画像処理部５４に出力されて圧縮符号化処理され、所定のデータフォーマットのデジタルデータに変換される。変換されたデータはＲ／Ｗ５５に出力され、メモリーカード３００に書き込まれる。尚、変換されたデータは無線通信によって表示装置３に転送されて表示パネル７に出力され、又は、表示装置３の記録部に書き込まれてもよい。
【０１３１】
メモリーカード３００に記録された画像データを再生する場合には、入力操作部５７、５７、・・・に対する操作に応じて、Ｒ／Ｗ５５によってメモリーカード３００から所定の画像データが読み出され、画像処理部５４によって伸張復号化処理が行われた後に、再生画像信号が無線通信によって表示装置３に転送されて表示パネル７に出力されて再生画像が表示される。
【０１３２】
［まとめ］
以上に記載した通り、撮像装置１にあっては、転がり防止部１０が筒状部９ａの下面側に設けられ、転がり防止部１０の左右方向における中央部Ｍｂが筒状部９ａの左右方向における中央部Ｍａに対して左右の何れかにずれて位置されている。
【０１３３】
従って、転がり防止部１０によって撮像装置１の転がりが防止されると共に撮影時に転がり防止部１０を把持して撮影を行うことが可能になり、非使用時における良好な保管性及び撮影時における良好な把持性が確保され、撮像装置１の使い勝手の向上を図ることができる。
【０１３４】
また、転がり防止部１０の左右方向における中央部Ｍｂが筒状部９ａの左右方向における中央部Ｍａに対して左方にずれて位置されることにより、撮影者が撮像装置１を左手２００で把持して撮影することが多いため、左手２００の親指２０２が転がり防止部１０に宛われ、撮像装置１に対する把持性の向上を図ることができる。
【０１３５】
［本技術］
本技術は、以下のような構成にすることもできる。
【０１３６】
（１）
内側に撮影レンズが配置された外筐を備え、前記外筐は前記撮影レンズの光軸に直交する断面の外形状が略円形状に形成された筒状部と前記筒状部に対して前記光軸に直交する方向において外側に突出されて設けられた転がり防止部とを有し、前記転がり防止部が前記筒状部の下面側に設けられ、前記転がり防止部の左右方向における中央部が前記筒状部の左右方向における中央部に対して左右の何れかにずれて位置された
撮像装置。
【０１３７】
（２）
前記転がり防止部の左右方向における中央部が前記筒状部の左方にずれて位置された
前記（１）に記載の撮像装置。
【０１３８】
（３）
前記転がり防止部に操作部が配置された
前記（１）又は前記（２）に記載の撮像装置。
【０１３９】
（４）
前記操作部として被写体の撮影を行う撮影釦が設けられた
前記（３）に記載の撮像装置。
【０１４０】
（５）
前記操作部として撮影倍率を変更するズーム摘子が設けられた
前記（３）に記載の撮像装置。
【０１４１】
（６）
前記ズーム摘子が上下方向に移動されて操作される
前記（５）に記載の撮像装置。
【０１４２】
（７）
前記転がり防止部の内部に駆動モーターを含む駆動機構の少なくとも一部が配置された
前記（１）から前記（６）の何れかに記載の撮像装置。
【０１４３】
（８）
前記転がり防止部の外面の少なくとも一部が曲面状に形成された
前記（１）から前記（７）の何れかに記載の撮像装置。
【０１４４】
（９）
前記筒状部と前記転がり防止部が別部材によって形成され、前記筒状部と前記転がり防止部が結合された
前記（１）から前記（８）の何れかに記載の撮像装置。
【０１４５】
（１０）
前記筒状部の表面と前記転がり防止部の表面とに異なる色が付された
前記（１）から前記（９）の何れかに記載の撮像装置。
【０１４６】
（１１）
前記転がり防止部の前面が光沢面に形成された
前記（１）から前記（１０）の何れかに記載の撮像装置。
【０１４７】
（１２）
前記筒状部の内部にズームレンズと撮影倍率を変更するために前記ズームレンズを光軸方向へ移動させるズームモーターを含むズーム駆動機構とが配置され、前記ズーム駆動機構が前記筒状部の内周面に沿って配置された
前記（１）から前記（１１）の何れかに記載の撮像装置。
【０１４８】
（１３）
前記ズームモーターのモーター軸が上下左右に対して傾斜された状態で前記ズームモーターが配置された
前記（１２）に記載の撮像装置。
【０１４９】
（１４）
前記ズーム駆動機構が前記ズームレンズの後側に配置された
前記（１２）又は前記（１３）に記載の撮像装置。
【符号の説明】
【０１５０】
１…撮像装置、２…アダプター、３…表示装置、８…外筐、９ａ…筒状部、１０…転がり防止部、１４…撮影レンズ、２５…ズーム摘子、２６…撮影釦、２９…ズーム駆動機構、３０…フォーカス駆動機構、３１…ズームモーター、３１ａ…モーター軸
【図１】
2015215422.tif 000003
【図２】
2015215422.tif 000004
【図３】
2015215422.tif 000005
【図４】
2015215422.tif 000006
【図５】
2015215422.tif 000007
【図６】
2015215422.tif 000008
【図７】
2015215422.tif 000009
【図８】
2015215422.tif 000010
【図９】
2015215422.tif 000011
【図１０】
2015215422.tif 000012
【図１１】
2015215422.tif 000013
【図１２】
2015215422.tif 000014
【図１３】
2015215422.tif 000015
【図１４】
2015215422.tif 000016
【図１５】
2015215422.tif 000017
【図１６】
2015215422.tif 000018